(57)【要約】【課題】  操作部分と表示部分との位置関係の自由度をより向上させることができる携帯電話機を提供すること。【解決手段】  この携帯電話機１ａは、第一主面に表示部が形成されている第一の部分１０と、少なくとも発呼のための操作部が第二主面に形成されている第二の部分２０と、第二主面に固定部材４０によって共締めされている円盤状の接続部材３０と、を備え、接続部材３０は、重心を中心として第三主面が第二主面に沿って回動可能なように取り付けられており、第一の部分１０は、一端部が接続部材３０に取り付けられていて、接続部材３０の直径方向の軸であって接続部材３０の回動中心を通る軸を中心として回動可能に構成されている。【選択図】  図１
2005210230.tif 000002
【特許請求の範囲】
【請求項１】
第一主面に表示部が形成されている第一の部分と、
少なくとも発呼のための操作部が第二主面に形成されている第二の部分と、
前記第二主面に固定部材によって共締めされている円盤状の接続部材と、を備え、
前記接続部材は、重心を中心として第三主面が前記第二主面に沿って回動可能なように取り付けられており、
前記第一の部分は、一端部が前記接続部材に取り付けられていて、前記接続部材の直径方向の軸であって前記接続部材の回動中心を通る軸を中心として回動可能に構成されている、携帯電話機。
【請求項２】
前記第一の部分の一端部には、前記接続部材の円盤状の外形に沿った凹部が設けられている、請求項１に記載の携帯電話機。
【請求項３】
前記接続部材には前記固定部材の軸部分が貫通する取り付け穴が穿たれていて、当該取り付け穴の周囲には前記固定部材の軸部分の一端に形成されている頭部分が納まるように陥没部分が形成されており、前記固定部材の頭部分が該陥没部分を押さえ込むことで前記接続部材が前記第二の部分に共締めされている、請求項１又は２に記載の携帯電話機。
【発明の詳細な説明】
【技術分野】
【０００１】
本発明は携帯電話機に関する。
【背景技術】
【０００２】
従来の携帯電話機では、操作部分と表示部分とに分割されそれぞれの部分が一軸を中心として折りたたみ可能なように構成されているものがある。そのような携帯電話機の一例として下記特許文献１に開示されているように、操作部分と表示部分とが折りたたみ可能なように接続されている第一の軸と交わる第二の軸を中心として表示部分が回動可能なように構成されているものがある。また、下記特許文献２に開示されているように操作部分と表示部分とが主面に沿って回動可能なように一端を係止した携帯電話機も提案されている。
【特許文献１】特開２００２−１１８６３３号公報
【特許文献２】特開２００２−１５８７５８号公報
【発明の開示】
【発明が解決しようとする課題】
【０００３】
しかしながら、上記特許文献１に記載の携帯電話機では、第一の軸を中心として操作部分と表示部分とを開かなければ表示部分を第二の軸を中心として回動させることができない。また、上記特許文献２に記載の携帯電話機では操作部分と表示部分とを主面に沿って回動させることはできるものの、その方向の運動しかできないため、例えば表示部分を操作部分に対して起立させた状態にすることができない。
【０００４】
そこで本発明では、操作部分と表示部分との位置関係の自由度をより向上させた携帯電話機を提供することを目的とする。
【課題を解決するための手段】
【０００５】
本発明の携帯電話機は、第一主面に表示部が形成されている第一の部分と、少なくとも発呼のための操作部が第二主面に形成されている第二の部分と、第二主面に固定部材によって共締めされている円盤状の接続部材と、を備え、接続部材は、重心を中心として第三主面が第二主面に沿って回動可能なように取り付けられており、第一の部分は、一端部が接続部材に取り付けられていて、接続部材の直径方向の軸であって接続部材の回動中心を通る軸を中心として回動可能に構成されている。
【０００６】
本発明の携帯電話機によれば、第一の部分は第二の部分の第二主面に取り付けられた接続部材に取り付けられており、接続部材は第二の部分の第二主面に回動可能なように取り付けられているので、第一の部分は第二の部分に対して接続部材の重心を中心とした回動が可能となる。また、接続部材の回動中心を通る軸であって接続部材の直径方向に伸びる軸を中心として第一の部分は接続部材に回動可能に取り付けられているので、第一の部分は第二の部分に沿う位置から直立する位置を経由して再び沿う位置まで回動することが可能となる。また、第一の部分が取り付けられている接続部材は固定部材によって第二の部分に対して共締めされているので、この携帯電話機を組み立てる際に作業性が向上する。
【０００７】
また本発明の携帯電話機では、第一の部分の一端部には、接続部材の円盤状の外形に沿った凹部が設けられていることも好ましい。接続部材の円盤状の外形に沿った形状の凹部が第一の部分に設けられているので、第一の部分が第二の部分に沿う位置にある場合に、凹部に接続部材が収まる。
【０００８】
また本発明の携帯電話機では、接続部材には固定部材の軸部分が貫通する取り付け穴が穿たれていて、当該取り付け穴の周囲には固定部材の軸部分の一端に形成されている頭部分が納まるように陥没部分が形成されており、固定部材の頭部分が該陥没部分を押さえ込むことで接続部材が第二の部分に共締めされていることも好ましい。固定部材の軸部分が貫通する取り付け穴の周囲に固定部材の頭部分が収まる陥没部分が形成されているので、接続部材から固定部材の頭部分が突出することがなく、滑らかに第一の部分を回動させることができる。
【発明の効果】
【０００９】
本発明の携帯電話機によれば、操作部分と表示部分との位置関係の自由度をより向上させることができる。
【発明を実施するための最良の形態】
【００１０】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１１】
本実施形態の携帯電話機について図１を参照しながら説明する。図１に示すように本実施形態の携帯電話機１ａは、矩形板状の第一の部分１０と、第一の部分１０と略同一の外形である第二の部分２０と、接続部材３０と、固定部材４０と、を備える。第一の部分１０の主面（第一主面）には表示部１０１が形成されており、その一端部には軸部材１０２が取り付けられている。軸部材１０２は第一の部分１０の一端部の両端に、接続部材３０を挟み込むように取り付けられている。従って、第一の部分１０は接続部材３０に対して、二つの軸部材１０２を貫く軸αを中心として回動可能なように構成されている。
【００１２】
第二の部分２０の主面（第二主面）には少なくとも発呼のための操作部２０１が形成されている。本実施形態の場合に操作部２０１は発呼指示を入力することが可能であると共に、第一の部分１０の表示部１０１に表示される情報の操作を行うことも可能である。第二の部分２０の主面の一端部には接続部材３０が固定部材４０によって共締めされている。固定部材４０は円盤状の接続部材３０の重心近傍に穿たれた取り付け穴を貫通して、第二の部分２０と接続部材３０とを共締めしている（詳細は後述する）。従って、接続部材３０はその重心を中心として、第二の部分２０の操作部２０１が形成されている主面に沿って回動可能に構成されている。
【００１３】
図１に示す状態から、軸βを中心に第一の部分１０を半時計回りに約４５度回転させて、第二の部分２０の長手方向に第一の部分１０の主面が沿うようにし、軸αを中心に第一の部分１０を回転させて表示部１０１を上側にして第一の部分１０の主面と第二の部分２０の主面とが沿うようにした状態を図２に示す。
【００１４】
図２に示すように、第一の部分１０の一端部の両端に設けられた軸部材１０２の間にアーチ上に形成されている凹部１０３に接続部材３０が収まる。従って、第一の部分１０の表示部が設けられている主面と接続部材３０の上面とは略面一の状態となる。また、図２に示すような状態に第一の部分１０と第二の部分２０とが位置すると、第二の部分２０の操作部２０１を避けて第一の部分１０が位置する。従って、図２の状態であっても第二の部分２０の操作部２０１の操作は可能である。また、第二の部分２０の操作部２０１近傍を掴んで携帯電話機１ａを保持し、第一の部分１０の表示部１０１に映し出される文字や画像等を視聴することができる。
【００１５】
図２に示す状態から、第一の部分１０と第二の部分２０とが重なるように軸βを中心としてそれぞれを相対的に回転させた状態を図３に示す。図３に示すように、第一の部分１０と第二の部分２０とはそれぞれの主面がほぼ同一形状の矩形なので、第一の部分１０及び第二の部分２０が重なり合い、嵩張らずに持ち運ぶことができる。また、第二の部分２０の接続部材３０が取り付けられているほうの一端部には、その接続部材３０の外形に沿うように半円形状の凸部２０２が設けられている。
【００１６】
ここで、図３において、軸α及び軸βを含む平面で携帯電話機１ａを切断し、矢印Ａ方向から見た断面図を図４に示す。接続部材３０が第二の部分２０と接する部分であって、接続部材３０の平面形状（円形）の主面（第三主面）の重心を通る位置に穴３０３が穿たれている。第二の部分２０が接続部材３０と接する部分であって、穴３０３が穿たれている位置と対応する部分に穴２０３が穿たれている。また、接続部材３０の上面であって、穴３０３と対応する位置には穴３０２が穿たれている。穴３０２の周囲には陥没部分３０１が形成されていて、この陥没部分３０１に固定部材４０の頭部分４０２が収まるように形成されている。
【００１７】
固定部材４０の頭部分４０２からは軸部分４０１が軸βに沿うように延出していて、軸部分４０１は接続部材３０の穴３０２及び穴３０３を貫通し、第二の部分２０の穴２０３も貫通している。軸部分４０１の頭部分４０２と反対側には係止部分４０３が配置されていて、接続部材３０及び第二の部分２０を頭部分４０２及び係止部分４０３が挟み込んで共締めすることで、軸βを中心として回動可能に接続部材３０を第二の部分２０に取り付けている。
【００１８】
接続部材３０の上面と下面とを繋ぐ横壁のほぼ中心付近の軸βを挟んで対象位置に、横穴３０４が二つ穿たれている。この二つの横穴３０４は軸α上に形成されている。各横穴３０４には軸部材１０２が挿入されていて、軸部材１０２は軸αを中心として自転するように構成されている。従って、第一の部分１０は軸αを中心として回動可能であるとともに、軸βを中心としても回動可能である。また、この携帯電話機１ａを組み立てる際には、接続部材３０に第一の部分１０の軸部材１０２を取り付け、その後接続部材３０を第二の部分２０に対して固定部材４０を用いて共締めするので組立が容易である。
【図面の簡単な説明】
【００１９】
【図１】本実施形態である携帯電話機の構成を示す図である。
【図２】本実施形態である携帯電話機の構成を示す図である。
【図３】本実施形態である携帯電話機の構成を示す図である。
【図４】図３のα軸及びβ軸を含む平面における断面図を示す図である。
【符号の説明】
【００２０】
１ａ…携帯電話機、１０…第一の部分、２０…第二の部分、３０…接続部材、４０…固定部材、１０１…表示部、１０２…軸部材、１０３…凹部、２０１…操作部、２０２…凸部、２０３…穴、３０１…陥没部分、３０２…穴、３０３…穴、３０４…横穴、４０１…軸部分、４０２…頭部分、４０３…係止部分。
【図１】
2005210230.tif 000003
【図２】
2005210230.tif 000004
【図３】
2005210230.tif 000005
【図４】
2005210230.tif 000006